(57)【要約】【課題】蓄電手段の電力の消費を抑制し、蓄電手段の使用時であっても特定の機能をより長く利用できるようにすることを目的とする。【解決手段】商用電源、充放電可能な第一蓄電デバイス、前記第一蓄電デバイスより電力の供給量が少ない充放電可能な第二蓄電デバイスのうち、少なくとも１つを電力の供給元として処理を行う画像処理部と、前記画像処理部に、前記供給元が前記第一蓄電デバイスである場合は、前記供給元が前記商用電源であるときに実行可能な前記処理と同様の処理を実行させ、前記供給元が前記第二蓄電デバイスである場合には、前記処理の一部を実行させる制御部と、を有する、画像形成装置である。【選択図】図２
2018049259.tif 000002
【特許請求の範囲】
【請求項１】
商用電源、充放電可能な第一蓄電デバイス、前記第一蓄電デバイスより電力の供給量が少ない充放電可能な第二蓄電デバイスのうち、少なくとも１つを電力の供給元として処理を行う画像処理部と、
前記画像処理部に、前記供給元が前記第一蓄電デバイスである場合は、前記供給元が前記商用電源であるときに実行可能な前記処理と同様の処理を実行させ、前記供給元が前記第二蓄電デバイスである場合には、前記処理の一部を実行させる制御部と、を有する、画像形成装置。
【請求項２】
前記制御部は、
前記第二蓄電デバイスから前記電力が供給されている場合に、
ネットワークから、ＦＡＸデータ又はプリントデータを含むデータを受信したか否かを監視する状態監視部を有し、
前記データを受信した場合、前記画像処理部に対し、前記データを記憶させ、印刷を行わせない、請求項１記載の画像形成装置。
【請求項３】
前記画像形成装置の状態として、
前記画像処理部が動作して、印刷ジョブを実行するジョブモードと、
前記画像処理部が、印刷ジョブを実行可能な状態で待機する待機モードと、
前記画像処理部が、印刷ジョブを実行せず、データの受信と蓄積を行うエンジンオフモードと、
前記画像処理部の動作を停止させ、ネットワークからデータの受信があるか否かを監視するサスペンドモードと、を有し、
前記画像処理部は、
前記商用電源又は前記第一蓄電デバイスから電力が供給されている場合に、前記待機モードにおいてデータを受信したとき、前記ジョブモードに移行して、受信した前記データの印刷を実行し、
前記第二蓄電デバイスから電力が供給されている場合に、前記サスペンドモードにおいてデータの受信を検知したとき、前記エンジンオフモードに移行して、受信した前記データを蓄積する、請求項１又は２記載の画像形成装置。
【請求項４】
前記第一蓄電デバイスが前記供給元である場合、前記第一蓄電デバイスは、前記第二蓄電デバイスを経由して充電しつつ、前記画像処理部へ前記電力を供給し、
前記制御部は、前記状態が前記サスペンドモードとなった場合に、前記第一蓄電デバイスからの電力の供給を停止させ、前記第二蓄電デバイスを前記供給元とする、請求項３記載の画像形成装置。
【請求項５】
前記制御部は、
前記商用電源からの電力の供給の停止を検出し、前記供給元を前記商用電源から前記第一蓄電デバイスに切り替え、
前記供給元が前記第一蓄電デバイスに切り替えられた後に、所定時間、操作が行われなかった場合に、前記供給元を前記第二蓄電デバイスに切り替える、請求項１乃至４の何れか一項に記載の画像形成装置。
【請求項６】
前記画像処理部に対する操作の受け付け及び情報の表示を行う表示操作装置と、
前記供給元が前記第一蓄電デバイスから前記第二蓄電デバイスに切り替わった後に、前記表示操作装置を起動させる操作を受け付けた場合に、起動後の前記表示操作装置に、前記画像処理部に対する操作の受け付けを禁止する操作抑制画面を表示させる操作抑制部と、を有する、請求項１乃至５の何れか一項に記載の画像形成装置。
【請求項７】
前記供給元が前記第一蓄電デバイスから前記第二蓄電デバイスに切り替わった場合に、前記表示操作装置は動作を停止する、請求項６記載の画像形成装置。
【請求項８】
前記商用電源からの電力の供給が停止されたとき、前記供給元を前記第一蓄電デバイスに切り替え、前記供給元が前記第一蓄電デバイスとなった後に前記表示操作装置に対する操作が所定時間行われない場合に、前記供給元を前記第一蓄電デバイスから前記第二蓄電デバイスに切り替える状態管理部を有する、請求項６又は７記載の画像形成装置。
【請求項９】
前記制御部は、
前記処理の一部が実行されていることを前記表示操作装置に通知する通知部を有する請求項６乃至８の何れか一項に記載の画像形成装置。
【請求項１０】
前記操作抑制部は、
前記操作抑制画面に、受信済みのＦＡＸデータの一覧を示す情報を表示させる請求項６乃至９の何れか一項に記載の画像形成装置。
【請求項１１】
前記操作抑制部は、
前記表示操作装置に対する操作を受けた場合に、前記供給元が前記第二蓄電デバイスであるとき、前記表示操作装置を起動させて前記操作抑制画面を表示させ、
前記操作抑制画面は、
前記第一蓄電デバイスを起動することで、受信したデータの印刷が可能となる旨を示すメッセージを含む、請求項１０記載の画像形成装置。
【請求項１２】
前記表示操作装置は、
前記制御部からの通知を受け付ける状態監視部を有し、
前記状態監視部は、
前記制御部から、前記供給元が前記第一蓄電デバイスから第二蓄電デバイスに切り替わったことを示す通知を受けて、前記操作抑制部に対して前記操作抑制画面の画像の形成指示を行い、
前記操作抑制部は、前記形成指示を受けて、前記表示操作装置に対する操作を受け付けたときに、最上位のレイヤに表示される前記操作抑制画面の画像を形成する、請求項６乃至１１の何れか一項に記載の画像形成装置。
【請求項１３】
商用電源、充放電可能な第一蓄電デバイス、前記第一蓄電デバイスより電力の供給量が少ない充放電可能な第二蓄電デバイスのうち、少なくとも１つを電力の供給元として処理を行う画像処理部と、
前記画像処理部に、前記供給元が前記第一蓄電デバイスである場合は、前記供給元が前記商用電源であるときに実行可能な前記処理と同様の処理を実行させ、前記供給元が前記第二蓄電デバイスである場合には、前記処理の一部を実行させる制御部と、を含む画像形成システム。
【請求項１４】
商用電源、充放電可能な第一蓄電デバイス、前記第一蓄電デバイスより電力の供給量が少ない充放電可能な第二蓄電デバイスのうち、少なくとも１つを電力の供給元として処理を実行する画像形成装置による画像形成方法であって、前記画像形成装置が、
前記供給元が前記第一蓄電デバイスである場合は、前記供給元が前記商用電源であるときに実行可能な前記処理と同様の処理を実行し、前記供給元が前記第二蓄電デバイスである場合には、前記処理の一部を実行する、画像形成方法。
【発明の詳細な説明】
【技術分野】
【０００１】
本発明は、画像形成装置、画像形成システム及び画像形成方法に関する。
【背景技術】
【０００２】
従来から、充放電可能な蓄電手段を有する画像形成装置が知られている。この画像形成装置では、ＡＣ（Alternating Current）電源からの電力の供給が停止した場合に、蓄電手段であるキャパシタから電力が供給される。
【発明の概要】
【発明が解決しようとする課題】
【０００３】
従来の画像形成装置では、蓄電手段により電力が供給される場合も、ＡＣ電源により電力が供給されているときと同様に動作する。このため、短時間で蓄電手段に蓄電された電力が消費され、ＦＡＸ受信等、重要度が高く常に動作させておきたい機能まで利用できなくなる可能性がある。
【０００４】
開示の技術は、蓄電手段の電力の消費を抑制し、蓄電手段の使用時であっても特定の機能をより長く利用できるようにすることを目的とする。
【課題を解決するための手段】
【０００５】
開示の技術は、商用電源、充放電可能な第一蓄電デバイス、前記第一蓄電デバイスより電力の供給量が少ない充放電可能な第二蓄電デバイスのうち、少なくとも１つを電力の供給元として処理を行う画像処理部と、前記画像処理部に、前記供給元が前記第一蓄電デバイスである場合は、前記供給元が前記商用電源であるときに実行可能な前記処理と同様の処理を実行させ、前記供給元が前記第二蓄電デバイスである場合には、前記処理の一部を実行させる制御部と、を有する、画像形成装置である。
【発明の効果】
【０００６】
蓄電手段の電力の消費を抑制できる。
【図面の簡単な説明】
【０００７】
【図１】第１の実施形態の画像形成装置の構成の概略を説明する図である。
【図２】第１の実施形態の画像形成装置の動作を説明する図である。
【図３】第１の実施形態の画像形成装置のコントローラと、蓄電装置の蓄電制御部の機能を説明する図である。
【図４】第１の実施形態のＦＡＸ実行部とプリント実行部が保持するテーブルの一例を示す図である。
【図５】第１の実施形態の画像形成装置の動作を説明する第一のフローチャートである。
【図６】第１の実施形態の画像形成装置の動作を説明する第二のフローチャートである。
【図７】第２の実施形態の画像形成装置の構成の概略を説明する図である。
【図８】第２の実施形態の、操作抑制画面が表示される場合の画像形成装置の動作を説明するシーケンス図である。
【図９】第２の実施形態の操作パネルに表示される画面の例を示す図である。
【図１０】第２の実施形態の画像形成装置のハードウェア構成について説明する図である。
【図１１】第２の実施形態の画像形成装置のソフトウェア構成の一例を示す模式図である。
【図１２】第２の実施形態の画像形成装置に含まれる各装置の機能を説明する図である。
【図１３】第２の実施形態の画面レイヤ定義について説明する図である。
【図１４】第２の実施形態の画像形成装置の動作を説明する第三のフローチャートである。
【図１５】第２の実施形態の画像形成装置の動作を説明する第四のフローチャートである。
【図１６】第２の実施形態の操作パネルに表示される画面の他の例を示す図である。
【発明を実施するための形態】
【０００８】
＜第１の実施形態＞
【０００９】
以下に図面を参照して実施形態について説明する。図１は、第１の実施形態の画像形成装置の構成の概略を説明する図である。
【００１０】
本実施形態の画像形成装置１００は、本体装置２００と、蓄電装置３００とを有する。言い換えれば、本実施形態の画像形成装置１００は、本体装置２００と蓄電装置３００とを含む画像形成システムである。本体装置２００は、蓄電装置３００を介して電力が供給される。
【００１１】
本実施形態の本体装置２００は、コントローラ２１０、エンジン２２０、電源ユニット２３０を有し、画像形成装置１００が受け付けた各種のジョブを実行する。各種のジョブとは、例えば画像形成装置１００に送信された印刷データの印刷や、原稿のスキャンやコピー、ＦＡＸの送信、受信等である。
【００１２】
本実施形態のコントローラ２１０は、演算処理装置とメモリを有する。コントローラ２１０は、エンジン２２０を制御し、上述した画像形成装置１００の各種の機能を実現させる。また、コントローラ２１０は、画像形成装置１００の状態を蓄電装置３００へ通知し、画像形成装置１００に、電力の供給元（電力源）と対応した動作を行わせる。
【００１３】
本実施形態のエンジン２２０は、感光体や定着装置等の画像形成部を有し、コントローラ２１０の指示に応じて、用紙等の記録媒体に対する画像の形成や、画像が形成された記録媒体の出力等を行う。
【００１４】
本実施形態の電源ユニット２３０は、蓄電装置３００から供給される電力をエンジン２２０やコントローラ２１０へ提供する。
【００１５】
蓄電装置３００は、第一蓄電デバイス３１０、第二蓄電デバイス３２０、インバータ３３０、蓄電制御部３４０を有する。
【００１６】
第一蓄電デバイス３１０と第二蓄電デバイス３２０は、充放電可能な蓄電デバイスである。具体的には、第一蓄電デバイス３１０と第二蓄電デバイス３２０は、例えばリチウムイオン電池や、キャパシタ等であって良い。
【００１７】
本実施形態の第一蓄電デバイス３１０の電力供給量は、第二蓄電デバイス３２０の電力供給量と比較して十分大きいものとした。具体的には、例えば、第一蓄電デバイス３１０の電力供給量は、第二蓄電デバイス３２０の電力供給量の少なくとも１０倍程度であって良い。例えば、第一蓄電デバイス３１０の電力供給量が８３０［Ｗｈ］程度である場合、第二蓄電デバイス３２０の電力供給量は１６３．８［Ｗｈ］程度であれば良い。
【００１８】
インバータ３３０は、電力源から供給される電力から、コントローラ２１０に供給される電圧と、エンジン２２０に供給される電圧とを生成し、本体装置２００に提供する。
【００１９】
蓄電制御部３４０は、本体装置２００から通知される画像形成装置１００の状態に応じて、電力源を切り替える。また、蓄電制御部３４０は、第一蓄電デバイス３１０及び第二蓄電デバイス３２０の残容量を監視する。
【００２０】
具体的には、蓄電制御部３４０は、画像形成装置１００が、停電等により、ＡＣ（Alternating Current）電源（商用電源）４００からの電力の供給が途絶えた状態となった場合、電力源を商用電源４００から第一蓄電デバイス３１０に切り替える。また、蓄電制御部３４０は、画像形成装置１００が、第一蓄電デバイス３１０から電力が供給されている状態において、後述するサスペンド（ＳＴＲ：（Suspend To RAM））モードとなったとき、電力源を第一蓄電デバイス３１０から第二蓄電デバイス３２０に切り替える。
【００２１】
サスペンドモードとは、画像形成装置１００において、コントローラ２１０を含む動作を一時停止させ、ネットワークからのＦＡＸやプリント等のデータの受信があるかどうかを監視している状態であり、電力消費量を極限まで減らした状態を示す。画像形成装置１００は、サスペンドモードにおいて、データを受信した場合には、これをコントローラ２１０が検出し、コントローラ２１０全体を復帰させる。
【００２２】
また、本実施形態の画像形成装置１００では、サスペンドモードの場合には、画像形成装置１００の機能の一部の使用を制限する。言い換えれば、本実施形態の画像形成装置１００は、電力源が第二蓄電デバイス３２０の場合に、画像形成装置１００の機能の一部の使用を制限する。
【００２３】
以下に、図２を参照して、本実施形態の画像形成装置１００の動作の概略を説明する。図２は、画像形成装置の動作を説明する図である。図２等に示す画像形成装置１００のモードとは、画像形成装置１００の状態を示す。
【００２４】
図２に示す状態１は、画像形成装置１００に商用電源４００から電力が供給され、且つ、画像形成装置１００が待機モードである状態を示している。本実施形態の待機モードとは、ジョブを受け付けると、すぐに受け付けたジョブを実行するジョブモードへ移行する状態を示す。ジョブモードとは、受け付けたジョブを実行している状態を示す。
【００２５】
状態１では、画像形成装置１００の本体装置２００において、コントローラ２１０とエンジン２２０は起動している。言い換えれば、状態１では、コントローラ２１０とエンジン２２０には、商用電源４００の電力が供給されている。
【００２６】
また、状態１において、画像形成装置１００の蓄電装置３００は、商用電源４００から供給される電力を出力し、第一蓄電デバイス３１０及び第二蓄電デバイス３２０からは、電力を出力させない（出力ＯＦＦ）。
【００２７】
図２に示す状態２は、画像形成装置１００に商用電源４００から電力が供給され、且つ、画像形成装置１００がエンジンオフモードである状態を示している。本実施形態のエンジンオフモードとは、本体装置２００のエンジン２２０に対する電力の供給を停止させ、ジョブ（印刷ジョブ）を実行せず、少なくともＦＡＸやプリント等のデータ受信と蓄積を行う状態を示す。尚、エンジンオフモードでは、コントローラ２１０は起動している。
【００２８】
言い換えれば、本実施形態のエンジンオフモードは、消費電力を削減させる省エネルギーモードである。本実施形態のエンジンオフモードは、電力の供給元が第一蓄電デバイス３１０となる場合と、電力の供給元が第二蓄電デバイス３２０となる場合がある。
【００２９】
本実施形態の画像形成装置１００では、状態１において、所定時間操作が行われなかった場合に、状態１の待機モードから状態２のエンジンオフモードへ移行する。また、本実施形態の画像形成装置１００は、状態２のエンジンオフモードにおいて、ジョブを受け付けたり、操作を受け付けたりすると、状態１の待機モードへ移行し、ジョブの実行や操作に応じた処理を行う。
【００３０】
状態２では、画像形成装置１００の本体装置２００は、コントローラ２１０は起動しており、エンジン２２０は動作を停止している。言い換えれば、状態２では、コントローラ２１０には、商用電源４００の電力が供給されており、エンジン２２０には電力は供給されていない。
【００３１】
また、状態２において、画像形成装置１００の蓄電装置３００は、エンジン２２０に供給される電圧の出力を停止し、コントローラ２１０に対して商用電源４００から電力を供給する。また、状態２における蓄電装置３００では、第一蓄電デバイス３１０及び第二蓄電デバイス３２０から電力を出力させない（出力ＯＦＦ）。
【００３２】
本実施形態では、この状態１及び状態２において、商用電源４００から供給される電力により、第一蓄電デバイス３１０と第二蓄電デバイス３２０とが充電されても良い。また、本実施形態では、商用電源又は第一蓄電デバイス３１０から画像形成装置１００に電源を供給する際に、第二蓄電デバイス３２０を経由させることで、第二蓄電デバイス３２０を充電しても良い。
【００３３】
以上が、画像形成装置１００に商用電源４００から電力が供給されている場合の動作である。
【００３４】
次に、画像形成装置１００に商用電源４００から電力が供給されない場合について説明する。商用電源４００から電力が供給されない場合とは、例えば停電の場合や、電源プラグが引き抜かれた場合等である。図２では、状態３〜状態５が、商用電源４００からの電力が供給されない場合である。
【００３５】
本実施形態では、本体装置２００のコントローラ２１０が、商用電源４００からの電力の供給の有無を判定し、商用電源４００からの電力の供給が停止されたと判定した場合に、電力の供給元を商用電源４００から第一蓄電デバイス３１０に切り替える。
【００３６】
状態３は、画像形成装置１００に第一蓄電デバイス３１０から電力が供給され、且つ、画像形成装置１００が待機モードである状態を示している。
【００３７】
状態３において、画像形成装置１００の本体装置２００では、コントローラ２１０とエンジン２２０は起動している。言い換えれば、状態３では、コントローラ２１０とエンジン２２０には、第一蓄電デバイス３１０の電力が供給されている。
【００３８】
また、状態３において、画像形成装置１００の蓄電装置３００では、第一蓄電デバイス３１０から供給される電力を出力し、第二蓄電デバイス３２０からは、電力を出力させない（出力ＯＦＦ）。
【００３９】
状態３において、所定時間操作が行われない場合、画像形成装置１００は、状態３の待機モードから、状態４に示すエンジンオフモードへ移行する。
【００４０】
図２に示す状態４は、画像形成装置１００に第一蓄電デバイス３１０から電力が供給され、且つ、画像形成装置１００がエンジンオフモードである状態を示している。
【００４１】
状態４において、画像形成装置１００の本体装置２００では、コントローラ２１０は起動しており、エンジン２２０は動作を停止している。言い換えれば、状態４では、コントローラ２１０には、第一蓄電デバイス３１０の電力が供給されており、エンジン２２０には電力は供給されていない。
【００４２】
また、状態４において、画像形成装置１００の蓄電装置３００では、エンジン２２０に供給される電圧の出力は停止される。尚、コントローラ２１０には、第一蓄電デバイス３１０から電力が供給される。また、第二蓄電デバイス３２０は、電力を出力しない（出力ＯＦＦ）。
【００４３】
本実施形態の画像形成装置１００は、状態４のエンジンオフモードにおいて、ジョブを受け付けたり、操作を受け付けたりすると、状態３の待機モードへ移行し、ジョブの実行や操作に応じた処理を行う。例えば、状態４のエンジンオフモードにおいて、ＦＡＸを受信した場合は、状態３の待機モードに移行し、ＦＡＸ印刷ジョブを実行する。つまり、第一蓄電デバイス３１０を電力源とする状態４と状態３では、画像形成装置１００の動作は、商用電源４００から電力が供給されている場合と同じ動作となる。言い換えれば、本実施形態では、第一蓄電デバイス３１０を電力源とする状態４と状態３では、画像処理部２９０は、商用電源４００から電力が供給されている場合と同じ処理を実行する。
【００４４】
また、画像形成装置１００は、状態３又は状態４において、商用電源４００からの電力の供給が再開された場合には、電力の供給元を第一蓄電デバイス３１０から商用電源４００へ切り替えて、状態１又は状態２へ移行する。
【００４５】
状態４において、さらに所定時間操作が行われない場合、画像形成装置１００は、エンジンオフモードからサスペンドモードに移行し、電力の供給元を第一蓄電デバイス３１０から第二蓄電デバイス３２０に切り替える。
【００４６】
状態５は、画像形成装置１００に第二蓄電デバイス３２０から電力が供給され、且つ、画像形成装置１００がサスペンドモードであるか、又はエンジンオフモードである状態を示している。
【００４７】
状態５では、画像形成装置１００の本体装置２００は、コントローラ２１０は起動しており、エンジン２２０は動作を停止している。言い換えれば、状態５では、コントローラ２１０には、第二蓄電デバイス３２０の電力が供給されており、エンジン２２０には電力は供給されていない。また、状態５において、画像形成装置１００の蓄電装置３００は、エンジン２２０に供給される電圧の出力を停止する。さらに、画像形成装置１００は、状態５のサスペンドモードとなったとき、所定のジョブの受け付け以外の機能の使用を制限する。
【００４８】
本実施形態の画像形成装置１００は、状態５のサスペンドモードにおいて、第一蓄電デバイス３１０からの出力を再開させる操作を受け付けた場合には、状態３へ移行する。また、画像形成装置１００は、状態５のサスペンドモードにおいて、商用電源４００からの電力の供給が再開した場合には、状態２へ移行する。
【００４９】
また、画像形成装置１００は、状態５のサスペンドモードにおいて、所定のジョブを受け付けた場合には、電力の供給元を第二蓄電デバイス３２０に維持したまま、エンジンオフモードに移行し、ジョブに応じた処理を行う。所定のジョブとは、例えばＦＡＸの受信や、ネットワークを介した印刷ジョブの受信等である。言い換えれば、所定のジョブは、画像形成装置１００の外部からデータを受信するジョブである。
【００５０】
このように、本実施形態では、電力の供給源が第二蓄電デバイス３２０である状態５において、画像形成装置２００の状態は、サスペンドモードからエンジンモードへと遷移する。
【００５１】
例えば、状態５のサスペンドモードにおいて、ＦＡＸ文書を受信した場合、画像形成装置１００では、ジョブに応じた処理として、受信したＦＡＸ文書を蓄積する処理と、代行受信ランプを点灯させる処理とを実行する。ここで、蓄積されたＦＡＸ文書の印刷は、エンジン２２０が立ち上がった際に、蓄積されたＦＡＸ文書を自動で全て印刷する方法と、利用者に選択されたＦＡＸ文書を印刷する方法と、とが有り得る。
【００５２】
所定のジョブに応じた処理の詳細は後述する。
【００５３】
以上のように、本実施形態の画像形成装置１００は、電力の供給元が商用電源４００でない場合には、待機モードとエンジンオフモードに加えて、サスペンドモードを設けた。画像形成装置１００では、サスペンドモードに移行した際には、所定のジョブの受け付け以外の機能の利用を禁止し、電力の供給元を第二蓄電デバイス３２０とし、第一蓄電デバイス３１０からの出力を停止させる。
【００５４】
したがって、本実施形態によれば、第一蓄電デバイス３１０の電力により画像形成装置１００を動作させる時間を短縮でき、第一蓄電デバイス３１０からの電力の消費を抑制することができる。
【００５５】
また、本実施形態では、第二蓄電デバイス３２０を、外部からのデータを受信する動作を行うための電力を供給源とする。このため、例えば、商用電源４００からの電力の供給が停止され、第一蓄電デバイス３１０が電力の供給源となった場合でも、第一蓄電デバイス３１０からは、外部からのデータを受信する動作を行うための電力は消費されない。
【００５６】
このため、本実施形態によれば、第一蓄電デバイス３１０が電力の供給源となった場合に、外部から送信されるデータの受信等、重要度が高く、常に動作させておきたい機能を長時間に亘り実現することができる。より具体的には、本実施形態では、第二蓄電デバイス３２０を設けることで、電力の供給源が第一蓄電デバイス３１０であり、且つ、エンジンオフモードである場合に、コントローラ２１０の起動、ＦＡＸ受信、受信したＦＡＸ文書の蓄積等の動作を長時間行うことができる。
【００５７】
本実施形態の画像形成装置１００では、上述した制御を、本体装置２００のコントローラ２１０と、蓄電装置３００の蓄電制御部３４０の制御により実現する。
【００５８】
以下に、本実施形態のコントローラ２１０と蓄電制御部３４０の機能について説明する。図３は、画像形成装置のコントローラと、蓄電装置の蓄電制御部の機能を説明する図である。
【００５９】
はじめに、本実施形態のコントローラ２１０の機能について説明する。本実施形態のコントローラ２１０は、実行制御部２４０、スキャン実行部２５０、コピー実行部２６０、ＦＡＸ実行部２７０、プリント実行部２８０を有する。本実施形態のスキャン実行部２５０、コピー実行部２６０、ＦＡＸ実行部２７０、プリント実行部２８０は、画像処理部２９５を形成する。画像処理部２９５は、商用電源４００、第一蓄電デバイス３１０、第二蓄電デバイス３２０の何れかから、電力の供給を受ける。
【００６０】
実行制御部２４０は、コントローラ２１０が受け付けたジョブの実行を制御する。また、実行制御部２４０は、画像形成装置１００を、画像形成装置１００の状態に応じたモードで動作させる。さらに、本実施形態の実行制御部２４０は、ＦＡＸ実行部２７０とプリント実行部２８０に、画像形成装置１００の電力の供給元に応じた処理を実行させる。つまり、本実施形態の実行制御部２４０は、画像処理部２９５を制御する制御部である。
【００６１】
本実施形態のスキャン実行部２５０、コピー実行部２６０、ＦＡＸ実行部２７０、プリント実行部２８０は、それぞれが画像形成装置１００の機能と対応しており、対応した機能を実現させる。尚、図３に示す各実行部は一例であり、画像形成装置１００の機能は、これに限定されない。画像形成装置１００は、図３に示す各実行部が実現する機能以外の機能を有していても良いし、図３に示す各実行部が実現する機能の一部のみを有していても良い。
【００６２】
スキャン実行部２５０は、エンジン２２０を制御し、原稿等のスキャン機能を実現させる。コピー実行部２６０は、エンジン２２０を制御し、入力された画像データを印刷して出力するコピー機能を実現させる。
【００６３】
ＦＡＸ実行部２７０は、エンジン２２０を制御し、受信したＦＡＸデータを印刷して出力するＦＡＸ受信機能、原稿を読み取ってＦＡＸデータとし、送信先へ送信するＦＡＸ送信機能を実現させる。また、本実施形態のＦＡＸ実行部２７０は、実行制御部２４０から通知される電源の供給元に応じた処理を行う。
【００６４】
プリント実行部２８０は、画像形成装置１００が接続されたネットワーク等を介して受け付けた印刷ジョブを実行するプリント機能を実現する。また、本実施形態のプリント実行部２８０は、実行制御部２４０から通知される電源の供給元に応じた処理を行う。
【００６５】
ＦＡＸ実行部２７０とプリント実行部２８０の詳細は後述する。
【００６６】
本実施形態の実行制御部２４０は、状態監視部２４１、本体状態通知部２４２、電源状態通知部２４３を有する。
【００６７】
状態監視部２４１は、画像形成装置１００の状態を監視する。具体的には、状態監視部２４１は、蓄電制御部３４０に対して電力の供給元を問い合わせたり、電力の供給元を監視したりする。
【００６８】
また、状態監視部２４１は、画像形成装置１００の動作のモード、画像形成装置１００に対する操作指示やジョブの有無等を監視している。そして、状態監視部２４１は、画像形成装置１００の動作のモードを本体状態通知部２４２へ通知する。また、状態監視部２４１は、電力の供給元が変更された場合には、変更の内容と、変更の通知とを電源状態通知部２４３に通知する。
【００６９】
本体状態通知部２４２は、状態監視部２４１から動作のモードの変化を示す通知を受けて、変化後のモードと対応する電力の供給元と、供給元の変更指示を蓄電制御部３４０へ通知する。
【００７０】
電源状態通知部２４３は、状態監視部２４１から、電力の供給元の変更が通知されると変更の内容と、変更の通知をＦＡＸ実行部２７０と、プリント実行部２８０へ通知する。尚、本実施形態の電源状態通知部２４３は、電力の供給元の変更の通知先が予め設定されていても良い。言い換えれば、電源状態通知部２４３には、ＦＡＸ実行部２７０と、プリント実行部２８０とが、電力の供給元の変更の通知先として設定されていても良い。
【００７１】
本実施形態のＦＡＸ実行部２７０は、通知受付部２７１、動作選択部２７２、テーブル保持部２７３を有する。
【００７２】
通知受付部２７１は、電源状態通知部２４３からの電力の供給元の変更の通知を受け付ける。動作選択部２７２は、テーブル保持部２７３に保持されたテーブルを参照し、電力の供給元と対応する動作を選択する。テーブル保持部２７３は、電力の供給元と、ＦＡＸ実行部２７０の動作とが対応付けられたテーブルが保持されている。
【００７３】
本実施形態のプリント実行部２８０は、通知受付部２８１、動作選択部２８２、テーブル保持部２８３を有する。
【００７４】
通知受付部２８１は、電源状態通知部２４３からの電力の供給元の変更の通知を受け付ける。動作選択部２８２は、テーブル保持部２８３に保持されたテーブルを参照し、電力の供給元と対応する動作を選択する。テーブル保持部２８３は、電力の供給元と、プリント実行部２８０の動作とが対応付けられたテーブルが保持されている。テーブル保持部２７３、２８３に保持されるテーブルの詳細は後述する。
【００７５】
ここで、ＦＡＸ実行部２７０とプリント実行部２８０が、電力の供給元の変更の通知先に設定されている理由について説明する。
【００７６】
ＦＡＸ実行部２７０では、画像形成装置１００に対する商用電源４００からの電力の供給の有無に関わらずＦＡＸデータを受信する可能性がある。
【００７７】
通常では、ＦＡＸ実行部２７０は、ＦＡＸデータを受信すると、受信したＦＡＸデータをエンジン２２０により出力するが、画像形成装置１００がサスペンドモードであった場合には、エンジン２２０への電源の供給は停止されており、ＦＡＸデータを出力できない。
【００７８】
したがって、本実施形態では、画像形成装置１００がサスペンドモードに状態で、ＦＡＸデータを受信した場合には、受信したＦＡＸデータを保存できるようにした。
【００７９】
画像形成装置１００において、保存されたＦＡＸデータは、例えば商用電源４００による電力の供給が再開された後に、出力の操作を受け付けると、出力される。
【００８０】
本実施形態では、このようにすることで、停電時等に画像形成装置１００がサスペンドモードとなっていても、ＦＡＸを受信することができる。また、本実施形態では、商用電源４００による電力の供給が再開した後に、保存したＦＡＸデータを出力するため、第一蓄電デバイス３１０と第二蓄電デバイス３２０の電力は、ＦＡＸデータの出力のために消費されない。このため、本実施形態によれば、蓄電手段に蓄電された電力の消費を抑制できる。
【００８１】
プリント実行部２８０も同様に、画像形成装置１００に対する商用電源４００からの電力の供給の有無に関わらず、印刷ジョブを受信する可能性がある。
【００８２】
通常では、プリント実行部２８０は、印刷ジョブを受信すると、印刷ジョブに含まれる印刷データをエンジン２２０により出力する。しかし、画像形成装置１００がサスペンドモードであった場合には、エンジン２２０への電源の供給は停止されているため、プリント実行部２８０は、印刷データを出力できない。このような状態で、受信した印刷ジョブを実行しようとした場合、適正な処理が行われない可能性がある。
【００８３】
したがって、本実施形態では、画像形成装置１００がサスペンドモードの状態において、印刷ジョブを受信した場合、この印刷ジョブに含まれる印刷ジョブの実行を禁止（ブロック）するようにした。尚、本実施形態の印刷ジョブの実行の禁止とは、例えば印刷ジョブを実行せずに、送信元に対して印刷ジョブの実行ができない状態であることを通知する処理であっても良い。また、印刷ジョブの実行の禁止とは、印刷ジョブの送信元に対して印刷ジョブの送信エラーを通知する処理であっても良い。
【００８４】
本実施形態では、このようにすることで、停電時等に画像形成装置１００に対する商用電源４００の供給が行われていない場合において、印刷データの出力により第一蓄電デバイス３１０と第二蓄電デバイス３２０の電力が消費されることを抑制できる。
【００８５】
本実施形態のスキャン実行部２５０とコピー実行部２６０は、電力の供給元が商用電源４００であっても、第一蓄電デバイス３１０であっても、同様の動作を行う。また、電力の供給元が第二蓄電デバイス３２０となった場合には、エンジン２２０の動作が停止しているため、スキャン実行部２５０とコピー実行部２６０は、動作しない。したがって、本実施形態では、スキャン実行部２５０とコピー実行部２６０には、電力の供給元の変更について通知しないものとしているが、スキャン実行部２５０とコピー実行部２６０に対しても、電力の供給元を通知するようにしても良い。
【００８６】
次に、蓄電装置３００の蓄電制御部３４０について説明する。本実施形態の蓄電制御部３４０は、通知受付部３４１、供給元切替部３４２を有する。
【００８７】
通知受付部３４１は、実行制御部２４０の本体状態通知部２４２からの通知を受け付ける。供給元切替部３４２は、通知受付部３４１が受け付けた通知の内容に応じて、電力の供給元を切り替える。
【００８８】
次に、図４を参照して、ＦＡＸ実行部２７０とプリント実行部２８０の各テーブル保持部が保持するテーブルについて説明する。
【００８９】
図４は、ＦＡＸ実行部とプリント実行部が保持するテーブルの一例を示す図である。図４（Ａ）に示すテーブル４１、ＦＡＸ実行部２７０のテーブル保持部２７３が保持するテーブルの一例を示しており、図４（Ｂ）に示すテーブル４２、プリント実行部２８０のテーブル保持部２８３が保持するテーブルの一例を示している。
【００９０】
本実施形態のテーブル４１、４２は、情報の項目とし、供給元と動作とを有する。項目「供給元」の値は、画像形成装置１００に対する電力の供給元を示す。項目「動作」の値は、ＦＡＸ実行部２７０又はプリント実行部２８０の動作を示す。
【００９１】
テーブル４１によれば、供給元が商用電源４００及び第一蓄電デバイス３１０と対応するＦＡＸ実行部２７０の動作が、ＦＡＸデータの受信、印刷、保存、削除であることがわかる。また、テーブル４１によれば、第二蓄電デバイス３２０と対応するＦＡＸ実行部２７０の動作が、ＦＡＸデータの受信と保存であることがわかる。
【００９２】
また、テーブル４２によれば、供給元が商用電源４００及び第一蓄電デバイス３１０と対応するプリント実行部２８０の動作が、印刷ジョブの受信、印刷ジョブに含まれる印刷データの印刷、印刷ジョブの保存であることがわかる。言い換えれば、供給元が商用電源４００及び第一蓄電デバイス３１０と対応するプリント実行部２８０の動作は、受信した印刷ジョブの実行であることがわかる。
【００９３】
また、テーブル４２によれば、供給元が第二蓄電デバイス３２０と対応するプリント実行部２８０の動作が、印刷ジョブのブロックであることがわかる。言い換えれば、供給元が第二蓄電デバイス３２０と対応するプリント実行部２８０の動作は、受信した印刷ジョブの実行の禁止であることがわかる。
【００９４】
次に、図５及び図６を参照して、本実施形態の画像形成装置１００の動作について説明する。
【００９５】
図５は、画像形成装置の動作を説明する第一のフローチャートである。図５に示す処理は、コントローラ２１０により定期的に実行される。
【００９６】
本実施形態の画像形成装置１００は、コントローラ２１０の状態監視部２４１により、電力の供給元が商用電源４００であるか否かを判定する（ステップＳ５０１）。言い換えれば、状態監視部２４１は、停電等の理由により、商用電源４００からの電力の供給が途絶えたか否かを判定している。
【００９７】
ステップＳ５０１において、供給元が商用電源４００の場合、コントローラ２１０は、待機モードで待機する。尚、このとき、コントローラ２１０の状態監視部２４１は、電力の供給元や画像形成装置１００の状態等をポーリング等によって監視している。また、このとき、状態監視部２４１は、蓄電制御部３４０に対し、定期的（例えば、５秒に１回等）に、第一蓄電デバイス３１０に対して商用電源４００から電力が供給されているか否かを問い合わせている。
【００９８】
ステップＳ５０１において、供給元が商用電源４００でない場合、コントローラ２１０は、電力の供給元を第一蓄電デバイス３１０へ切り替える（ステップＳ５０２）。より具体的には、コントローラ２１０は、商用電源４００から第一蓄電デバイス３１０への電力の供給が停止されたとき、商用電源４００からの電力の供給が無くなったものとし、蓄電制御部３４０に対し、電力の供給元を第一蓄電デバイス３１０へ切り替える指示を行う。
【００９９】
以下に、ステップＳ５０２における切り替えについて説明する。
【０１００】
コントローラ２１０において、状態監視部２４１は、本体状態通知部２４２へ、商用電源４００からの電力の供給の停止を検出したことを通知する。本体状態通知部２４２は、この通知を受け、蓄電制御部３４０に対して、商用電源４００からの電力の供給が停止したことと、供給元の変更の指示を通知する。
【０１０１】
蓄電制御部３４０は、通知受付部３４１がこの通知を受けると、供給元切替部３４２により、供給元を商用電源４００から第一蓄電デバイス３１０に切り替える。
【０１０２】
尚、画像形成装置１００では、蓄電制御部３４０において、商用電源４００から第一蓄電デバイス３１０への電源の供給が無いことを検知し、電力の供給元を第一蓄電デバイス３１０に切り替えて、画像形成装置１００へ電力を供給してもよい。
【０１０３】
続いて、コントローラ２１０は、第一蓄電デバイス３１０の残容量が１０％以上であるか否かを判定する（ステップＳ５０３）。具体的には、コントローラ２１０は、蓄電制御部３４０に対して第一蓄電デバイス３１０の残容量を問い合わせ、残容量が１０％以上であるか否かを判定する。
【０１０４】
ステップＳ５０３において、第一蓄電デバイス３１０の残容量が１０％以上でない場合、つまり、第一蓄電デバイス３１０の残容量が１０％未満の場合、コントローラ２１０は処理を終了し、画像形成装置１００の電源をオフさせる。
【０１０５】
ステップＳ５０３において、第一蓄電デバイス３１０の残容量が１０％以上である場合、コントローラ２１０は、状態監視部２４１により、所定時間内に画像形成装置１００に対する操作が行われたか否かを判定する（ステップＳ５０４）。ステップＳ５０４において、所定時間内に操作が行われた場合、コントローラ２１０はステップＳ５０３へ戻る。
【０１０６】
ステップＳ５０４において、所定時間内に操作が行われない場合、コントローラ２１０は、待機モードからエンジンオフモードへ移行する（ステップＳ５０５）。
【０１０７】
続いて、コントローラ２１０は、さらに、所定時間内に待機モードへ復帰させる操作が行われたか否かを判定する（ステップＳ５０６）。待機モードへ復帰させる操作とは、第一蓄電デバイス３１０を起動させ、出力を再開させる操作である。
ステップＳ５０６で、該当する操作が行われた場合、コントローラ２１０は、待機モードに移行し（ステップＳ５０７）、ステップＳ５０３へ進む。
【０１０８】
ステップＳ５０６で該当する操作が行われない場合、コントローラ２１０は、画像形成装置１００をエンジンオフモードからサスペンドモードに移行させる（ステップＳ５０８）。
【０１０９】
続いて、コントローラ２１０は、供給元を第一蓄電デバイス３１０から第二蓄電デバイス３２０へ変更する（ステップＳ５０９）。具体的には、状態監視部２４１は、画像形成装置１００がサスペンドモードへ移行したことを本体状態通知部２４２に通知する。本体状態通知部２４２は、この通知を受けて、画像形成装置１００がサスペンドモードに移行したことと、供給元の切替指示とを蓄電制御部３４０へ通知する。蓄電制御部３４０は、通知受付部３４１によりこの通知を受けて、供給元切替部３４２により、供給元を第一蓄電デバイス３１０から第二蓄電デバイス３２０へ変更する。
【０１１０】
蓄電制御部３４０では、第一蓄電デバイス３１０から画像形成装置１００へ電力を供給する場合、第二蓄電デバイス３２０を経由して、画像形成装置１００へ電力が供給される。したがって、蓄電制御部３４０では、第一蓄電デバイス３１０からの電力の供給が停止されると、自動的に第二蓄電デバイス３２０から画像形成装置１００へ電力が供給されるようになる。
【０１１１】
そこで、本実施形態では、供給元切替部３４２によって、第一蓄電デバイス３１０からの電力の供給を停止させることで、第二蓄電デバイス３２０からの電力の供給を開始させる。
【０１１２】
尚、本実施形態では、第一蓄電デバイス３１０からの電力の供給を停止した後に、画像形成装置１００に対して、待機モードへ復帰させる操作（第一蓄電デバイス３１０をオンにする操作）が行われると、第一蓄電デバイス３１０からの電力の供給が再開される。すると、第一蓄電デバイス３１０は、第二蓄電デバイス３２０を充電しながら、本体装置２００へ電力を供給する。
【０１１３】
また、ステップＳ５０９において、コントローラ２１０は、電源状態通知部２４３により、ＦＡＸ実行部２７０とプリント実行部２８０に対して、供給元が第二蓄電デバイス３２０に切り替わったことを通知する。
【０１１４】
続いて、コントローラ２１０は、状態監視部２４１により、所定のジョブを受信したか否かを判定する（ステップＳ５１０）。ステップＳ５１０において、所定のジョブを受信しない場合、コントローラ２１０は、後述するステップＳ５１２へ進む。
【０１１５】
ステップＳ５１０において、所定のジョブを受信した場合には、コントローラ２１０は、エンジンオフモードに移行し（ステップＳ５１１）、対応する実行部に対して対応する動作を実行させる（ステップＳ５１２）。ステップＳ５１２の処理の詳細は後述する。
【０１１６】
続いて、コントローラ２１０の状態監視部２４１は、第一蓄電デバイス３１０からの出力が停止されているか否かを判定する（ステップＳ５１３）。言い換えれば、状態監視部２４１は、待機モードへ復帰させる操作が行われたか否かを判定している。
【０１１７】
ステップＳ５１３において、第一蓄電デバイス３１０からの出力が再開された場合、コントローラ２１０は、ステップＳ５０７へ進む。
【０１１８】
ステップＳ５１３において、第一蓄電デバイス３１０からの出力が停止されている場合、つまり、依然としてサスペンドモードである場合、コントローラ２１０は、画像形成装置１００の操作パネルに対して操作が行われたか否かを判定する（ステップＳ５１４）。ステップＳ５１４において、操作が行われなかった場合、コントローラ２１０は後述するステップＳ５１７へ進む。
【０１１９】
ステップＳ５１４において、操作パネルに対する操作が行われた場合、コントローラ２１０は、エンジンオフモードに移行し（ステップＳ５１５）、操作パネルに抑止画面を表示させる（ステップＳ５１６）。抑止画面とは、画像形成装置１００の機能の使用が制限されていることを通知するメッセージが表示された画面である。つまり、本実施形態の第二蓄電デバイス３２０は、コントローラ２１０及び操作パネルに電力を供給することになる。
【０１２０】
続いて、コントローラ２１０は、第二蓄電デバイス３２０の残容量が０％となったか否かを判定する（ステップＳ５１７）。ステップＳ５１７において、残容量が０％でない場合、コントローラ２１０は、現在のモードがエンジンオフモードあるか否かを判定する（ステップＳ５１８）。
【０１２１】
ステップＳ５１８において、エンジンオフモードである場合、コントローラ２１０は、ステップＳ５０６へ戻る。ステップＳ５１８において、エンジンオフモードでない場合、つまりサスペンドモードである場合、コントローラ２１０は、ステップＳ５１０へ戻る
ステップＳ５１７において、残容量が０％となったとき、コントローラ２１０は処理を終了し、画像形成装置１００をオフさせ、処理を終了する。
【０１２２】
尚、図５における所定時間は、それぞれが同じ時間であっても良いし、それぞれが個別に設定された時間であっても良い。
【０１２３】
次に、図５のステップＳ５１２の処理について説明する。図６は、画像形成装置の動作を説明する第二のフローチャートである。図６に示す処理は、図５のステップＳ５１２の処理の詳細を示している。図６では、例えば所定のジョブがＦＡＸデータの受信である場合について説明する。
【０１２４】
本実施形態のコントローラ２１０において、ＦＡＸ実行部２７０は、通知受付部２７１により、電力の供給元の通知を受け付けて、通知内容を保持する（ステップＳ６０１）。続いて、ＦＡＸ実行部２７０は、動作選択部２７２により、テーブル保持部２７３が保持するテーブル４１を参照し（ステップＳ６０２）、通知された供給元と対応する動作を行う（ステップＳ６０３）。
【０１２５】
ここでは、通知受付部２７１は、電力の供給元が第二蓄電デバイス３２０であることを示す通知を受け付ける。したがって、動作選択部２７２は、テーブル４１を参照し、供給元「第二蓄電デバイス３２０」と対応する動作「ＦＡＸデータの受信と保存」を行えば良い。
【０１２６】
尚、このとき、ＦＡＸ実行部２７０は、操作パネルを起動させ、操作パネルに設けられたＬＥＤ（light emitting diode）を点灯させ、ＦＡＸデータを受信したことを利用者に通知しても良い。
【０１２７】
以上のように、本実施形態によれば、画像形成装置１００に対する商用電源４００からの電力の供給が停止した場合には、第一蓄電デバイス３１０と第二蓄電デバイス３２０により、画像形成装置１００を動作させる。
【０１２８】
また、本実施形態によれば、画像形成装置１００の電力の供給元が第一蓄電デバイス３１０である場合において、所定時間操作やジョブを受け付けない場合には、第一蓄電デバイス３１０からの出力を停止させ、第二蓄電デバイス３２０のみで画像形成装置１００を動作させる。
【０１２９】
そして、本実施形態では、第二蓄電デバイス３２０のみで画像形成装置１００が動作している場合には、予め決められた所定のジョブのみを実行し、画像形成装置１００の機能の大部分の利用を禁止する。
【０１３０】
したがって、本実施形態では、商用電源４００からの電力の供給が途絶えた場合において、蓄電デバイスの蓄電された電力の消費を緩やかにすることができ、電力を電力の消費を抑制できる。したがって、本実施形態によれば、重要度が高く常に動作させておきたい機能を長時間に亘って実現することができる。
【０１３１】
尚、本実施形態では、商用電源４００からの電力の供給が停止したときに、電力の供給元を第一蓄電デバイス３１０に切り替えるものとしたが、これに限定されない。本実施形態では、商用電源４００による電力の提供を受けることが可能な状態であっても、利用者の操作等により、電力の供給元が第一蓄電デバイス３１０に切り替えられても良い。
【０１３２】
＜第２の実施形態＞
以下に図面を参照して、第２の実施形態について説明する。本実施形態では、本体装置に対する電力の供給元が、第二蓄電デバイスとなったとき、画像形成装置に対する操作のうち、特定の操作のみを受け付けるようにする点が、第１の実施形態と相違する。よって、以下の第２の実施形態では、第１の実施形態との相違点についてのみ説明し、第１の実施形態と同様の機能構成を有するものには、第１の実施形態の説明で用いた符号と同様の符号を付与し、その説明を省略する。
【０１３３】
以下に図面を参照して実施形態について説明する。図７は、第２の実施形態の画像形成装置の構成の概略を説明する図である。
【０１３４】
本実施形態の画像形成装置１００Ａは、本体装置２００Ａと、蓄電装置３００Ａと、操作装置５００と、を有する。言い換えれば、本実施形態の画像形成装置１００Ａは、本体装置２００Ａ及び操作装置５００と、蓄電装置３００Ａとを含む画像形成システムである。本体装置２００Ａ及び操作装置５００は、蓄電装置３００Ａを介して電力が供給される。
【０１３５】
本実施形態の本体装置２００Ａは、コントローラ２１０Ａ、エンジン２２０、電源ユニット２３０を有し、操作装置５００において受け付けた操作に応じたジョブや、外部から入力されたジョブ等、各種のジョブを実行する。各種のジョブとは、例えば画像形成装置１００Ａに送信された印刷データの印刷や、原稿のスキャンやコピー、ＦＡＸの送信、受信等である。
【０１３６】
本実施形態のコントローラ２１０Ａは、演算処理装置とメモリを有する制御部である。コントローラ２１０Ａは、操作装置５００における操作や外部からの入力によりジョブを受け付けると、エンジン２２０を制御し、上述した画像形成装置１００Ａの各種の機能を実現させる。また、コントローラ２１０Ａは、画像形成装置１００Ａの状態を蓄電装置３００へ通知し、本体装置２００Ａと操作装置５００に対し、電力の供給元（電力源）と対応した動作を行わせる。
【０１３７】
蓄電装置３００Ａは、第一蓄電デバイス３１０、第二蓄電デバイス３２０、インバータ３３０Ａ、蓄電制御部３４０を有する。
【０１３８】
インバータ３３０Ａは、電力源から供給される電力から、コントローラ２１０Ａに供給される電圧と、エンジン２２０に供給される電圧とを生成し、本体装置２００Ａに提供する。また、インバータ３３０Ａは、電力源から供給される電力から、操作装置５００に供給される電圧を生成し、操作装置５００に提供する。
【０１３９】
本実施形態の操作装置５００は、操作を受け付ける操作パネル５１０を有し、本体装置２００Ａと通信を行う。つまり、本実施形態の操作装置５００は、操作部として機能する操作パネル５１０を有する表示操作装置である。尚、操作を受け付けるとは、利用者の操作に応じて入力される情報（画面の座標値を示す信号等を含む）を受け付けることを含む概念である。
【０１４０】
操作パネル５１０は、画像形成装置１００Ａが実現する各種の機能と対応したアイコン等を含むホーム画面が表示される。操作装置５００は、ホーム画面においてアイコンが選択されると、選択されたアイコンと対応する機能を本体装置２００Ａに通知する。本体装置２００Ａは、この通知を受けて、該当する機能を実現させる。言い換えれば、本体装置２００Ａは、操作パネル５１０において選択されたアイコンと対応する機能を実現させる。
【０１４１】
また、本実施形態の操作装置５００は、電力の供給元（電力源）が第二蓄電デバイス３２０である場合において、操作パネル５１０に対する操作を受け付けると、操作パネル５１０に、画像形成装置１００Ａに対する操作の受付を禁止する操作抑制画面を表示させる。本実施形態では、このようにして、画像形成装置１００Ａの機能の利用を制限する。ホーム画面と操作抑制画面の詳細は後述する。
【０１４２】
本実施形態の画像形成装置１００Ａの動作は、第１の実施形態で図２を用いて説明したものと一部が重複する。そのため、ここでは重複する部分は省略し、図２を参照して操作装置５００の動作を説明する。
【０１４３】
状態１（待機モード）において、画像形成装置１００Ａでは、本体装置２００Ａのコントローラ２１０Ａとエンジン２２０及び操作装置５００は起動している。言い換えれば、状態１では、コントローラ２１０とエンジン２２０及び操作装置５００には、商用電源４００の電力が供給されている。
【０１４４】
状態２（エンジンオフモード）において、画像形成装置１００Ａでは、本体装置２００Ａのコントローラ２１０Ａと操作装置５００とは起動しており、エンジン２２０は停止している。言い換えれば、状態２では、コントローラ２１０Ａと操作装置５００には、商用電源４００の電力が供給されており、エンジン２２０には電力は供給されていない。
【０１４５】
状態３（待機モード）において、画像形成装置１００Ａでは、本体装置２００Ａのコントローラ２１０Ａとエンジン２２０及び操作パネル５１０は起動している。言い換えれば、状態３では、コントローラ２１０Ａとエンジン２２０及び操作パネル５１０には、第一蓄電デバイス３１０の電力が供給されている。
【０１４６】
状態４（エンジンオフモード）において、画像形成装置１００Ａの本体装置２００では、コントローラ２１０Ａと操作パネル５１０は起動しており、エンジン２２０は動作が停止している。言い換えれば、状態４では、コントローラ２１０Ａと操作パネル５１０には、第一蓄電デバイス３１０の電力が供給されており、エンジン２２０には電力は供給されていない。また、状態４において、第二蓄電デバイス３２０からは、電力は出力されない（出力ＯＦＦ）。
【０１４７】
状態５（サスペンドモード／エンジンオフモード）において、画像形成装置１００Ａの本体装置２００Ａでは、コントローラ２１０Ａは起動しており、エンジン２２０と操作パネル５１０は動作が停止している。言い換えれば、状態５では、コントローラ２１０Ａには、第二蓄電デバイス３２０の電力が供給されており、エンジン２２０と操作パネル５１０には電力は供給されていない。また、状態５において、画像形成装置１００Ａは、状態５のサスペンドモードとなったとき、所定のジョブの受け付け以外の機能の使用を制限する。
【０１４８】
また、画像形成装置１００Ａは、状態５のサスペンドモードにおいて、所定のジョブを受け付けた場合には、電力の供給元を第二蓄電デバイス３２０に維持したまま、エンジンオフモードに移行し、ジョブに応じた処理を行う。このとき、画像形成装置１００Ａは、供給元を第二蓄電デバイス３２０に維持したまま、操作パネル５１０を起動させ、操作パネル５１０が有するＬＥＤ（Light Emitting Diode）等を点灯させ、所定のジョブを実行していることを利用者に通知する。
【０１４９】
また、画像形成装置１００Ａは、状態５のサスペンドモードにおいて、操作パネル５１０に対する操作を受け付けると、電力の供給元を第二蓄電デバイス３２０に維持したまま、操作抑制画面を操作パネル５１０に表示させる。
【０１５０】
以下に、図８を参照して、本実施形態の操作装置５００において、操作抑制画面が表示される場合の画像形成装置１００Ａの動作について説明する。図８は、操作抑制画面が表示される場合の画像形成装置の動作を説明するシーケンス図である。
【０１５１】
本実施形態の画像形成装置１００Ａにおいて、本体装置２００Ａは、蓄電装置３００Ａに対して電力の供給元を問い合わせ（ステップＳ８０１）、供給元が商用電源４００か否かを判定する（ステップＳ８０２）。
【０１５２】
供給元が商用電源４００でない場合、本体装置２００Ａは、蓄電装置３００Ａの電力の供給元を第一蓄電デバイス３１０へ変更させる（ステップＳ８０３）。
【０１５３】
本体装置２００Ａは、供給元を第一蓄電デバイス３１０へ変更して後に、所定時間の間、操作が行われなかった場合、画像形成装置１００Ａの状態を待機モードからエンジンオフモードへ移行させる（ステップＳ８０４）。また、本体装置２００Ａは、待機モードからエンジンオフモードへ移行したことを蓄電装置３００Ａへ通知する（ステップＳ８０５）。
【０１５４】
次に、本体装置２００Ａは、エンジンオフモードへ移行した後に、所定時間の間、操作が行われなかった場合、画像形成装置１００Ａの状態をエンジンオフモードからサスペンドモードへ移行させる（ステップＳ８０６）。そして、本体装置２００Ａは、蓄電装置３００Ａの電力の供給元を第二蓄電デバイス３２０へ変更させる（ステップＳ８０７）。
【０１５５】
また、本体装置２００Ａは、エンジンオフモードからサスペンドモードに変更されたことを操作装置５００へ通知する（ステップＳ８０８）。
【０１５６】
操作装置５００は、サスペンドモードにおいて、操作パネル５１０に対する操作が行われると（ステップＳ８０９）、本体装置２００Ａへ操作を受け付けたことを通知する（ステップＳ８１０）。
【０１５７】
本体装置２００Ａは、この通知を受けて、供給元を第二蓄電デバイス３２０に維持しながら、サスペンドモードからエンジンオフモードへ移行する（ステップＳ８１１）。そして、本体装置２００Ａは、操作装置５００に対して、エンジンオフモードへ移行したことを通知する（ステップＳ８１２）。
【０１５８】
操作装置５００は、この通知を受けて、操作パネル５１０に、操作抑制画面を表示させる（ステップＳ８１３）。
【０１５９】
本実施形態では、以上のようにして、操作抑制画面を表示させることで、電力の供給元が第二蓄電デバイス３２０である場合の画像形成装置１００Ａの機能の利用を容易に制限することができる。
【０１６０】
ここで、図９を参照して、本実施形態の操作パネル５１０に表示される画面について説明する。
【０１６１】
図９は、操作パネルに表示される画面の例を示す図である。図９（Ａ）は、ホーム画面の一例を示しており、図９（Ｂ）は、操作抑制画面の一例を示している。
【０１６２】
図９（Ａ）に示すホーム画面４１１には、画像形成装置１００Ａで実現される機能と対応するアイコン４１２、４１３、４１４等が表示される。アイコン４１２は、コピー機能と対応しており、アイコン４１３はスキャン機能と対応しており、アイコン４１４はＦＡＸ機能と対応している。画像形成装置１００Ａでは、例えば、アイコン４１２を選択する操作を受け付けた場合には、本体装置２００Ａにおいて、アイコン４１２と対応するコピー機能を実現する処理を実行する。
【０１６３】
図９（Ｂ）に示す操作抑制画面４１５は、ホーム画面４１１を覆うように表示される。操作抑制画面４１５には、制限されている機能を使用する場合には、第一蓄電デバイス３１０へ供給元を切り替えるように、利用者に促すメッセージ４１６が表示される。
【０１６４】
また、操作抑制画面４１５には、画像形成装置１００Ａの電源を切るためのボタン４１７が表示される。操作抑制画面４１５では、ボタン４１７の操作のみが許可されている。ボタン４１７が操作されると、画像形成装置１００Ａは、第二蓄電デバイス３２０からの電力の供給が停止し、シャットダウンされる。
【０１６５】
以上のように、本実施形態では、操作パネル５１０において、ホーム画面に対して、操作の受け付けを禁止する操作抑制画面を重畳させて表示させることで、画像形成装置１００Ａに対する操作を制限する。本実施形態では、操作パネル５１０に対する操作を制限することで、画像形成装置１００Ａにおいて利用可能な機能を制限する。
【０１６６】
したがって、本実施形態によれば、機能と対応する各アプリケーションや汎用のＯＳ（Operating System）に対して手を加える必要がなく、容易に画像形成装置１００Ａの機能の利用を制限することができる。
【０１６７】
以下に、本実施形態の画像形成装置１００Ａについてさらに説明する。図１０は、画像形成装置のハードウェア構成について説明する。尚、図１０では、本体装置２００Ａと操作装置５００のハードウェア構成を示している。
【０１６８】
本体装置２００Ａと操作装置５００は、専用の通信路５０を介して相互に通信可能に接続されている。通信路５０は、例えばＵＳＢ（Universal  Serial  Bus）規格のものを用いることもできるが、有線か無線かを問わず任意の規格のものであってよい。
【０１６９】
尚、本体装置２００Ａは、操作装置５００で受け付けた操作に応じた動作を行うことができる。また、本体装置２００Ａは、クライアントＰＣ（パーソナルコンピュータ）等の外部装置とも通信可能であり、外部装置から受信した指示に応じた動作を行うこともできる。
【０１７０】
まず、本体装置２００Ａのハードウェア構成について説明する。図１０に示すように、本体装置２００Ａは、ＣＰＵ（Central  Processing  Unit）２１と、ＲＯＭ(Read  Only  Memory)２２と、ＲＡＭ(Random  Access  Memory)２３と、ＨＤＤ（Hard  Disk  Drive）２４と、通信Ｉ／Ｆ（Interface）２５と、接続Ｉ／Ｆ２６と、エンジン２２０とを備え、これらがシステムバスＢ１を介して相互に接続されている。
【０１７１】
本実施形態では、例えばＣＰＵ２１、ＲＯＭ２２、ＲＡＭ２３がコントローラ２１０Ａに含まれても良い。
【０１７２】
ＣＰＵ２１は、本体装置２００Ａの動作を統括的に制御する。ＣＰＵ２１は、ＲＡＭ２３をワークエリア（作業領域）としてＲＯＭ２２またはＨＤＤ２４等に格納されたプログラムを実行することで、本体装置２００Ａ全体の動作を制御し、上述したコピー機能、スキャン機能、ファクス機能、プリント機能などの各種機能を実現する。
【０１７３】
通信Ｉ／Ｆ４８は、ネットワーク５８と接続するためのインタフェースである。接続Ｉ／Ｆ２６は、通信路５０を介して操作装置５００と通信するためのインタフェースである。
【０１７４】
エンジン２２０は、コピー機能、スキャン機能、ファクス機能、および、プリント機能を実現させるための、汎用的な情報処理及び通信以外の処理を行うハードウェアである。
例えば、原稿の画像をスキャンして読み取るスキャン（画像読取部）、用紙等のシート材への印刷を行うプロッタ（画像形成部）、ファクス通信を行うファクス部などを備えている。更に、印刷済みシート材を仕分けるフィニッシャや、原稿を自動給送するＡＤＦ（自動原稿給送装置）のような特定のオプションを備えることもできる。
【０１７５】
次に、操作装置５００のハードウェア構成について説明する。図１０に示すように、操作装置５００は、ＣＰＵ５１と、ＲＯＭ５２と、ＲＡＭ５３と、フラッシュメモリ５４と、通信Ｉ／Ｆ５５と、接続Ｉ／Ｆ５６と、操作パネル５１０とを備え、これらがシステムバスＢ２を介して相互に接続されている。
【０１７６】
ＣＰＵ５１は、操作装置５００の動作を統括的に制御する。ＣＰＵ５１は、ＲＡＭ５３をワークエリア（作業領域）としてＲＯＭ５２またはフラッシュメモリ５４等に格納されたプログラムを実行することで、操作装置５００全体の動作を制御し、利用者から受け付けた入力に応じた情報（画像）の表示などの後述する各種機能を実現する。
【０１７７】
通信Ｉ／Ｆ５５は、ネットワーク５８と接続するためのインタフェースである。接続Ｉ／Ｆ５６は、通信路５０を介して本体装置２００Ａと通信するためのインタフェースである。
【０１７８】
操作パネル５１０は、ユーザの操作に応じた各種の入力を受け付けるとともに、各種の情報（例えば受け付けた操作に応じた情報、画像形成装置１００Ａの動作状況を示す情報、設定状態などを示す情報など）を表示する表示操作装置の１つである。この例では、操作パネル５１０は、タッチパネル機能を搭載した液晶表示装置（ＬＣＤ）で構成されるが、これに限られるものではない。例えばタッチパネル機能が搭載された有機ＥＬ表示装置で構成されてもよい。さらに、これに加えて又はこれに代えて、ハードウェアキー等の操作部やランプ等の表示部を設けることもできる。
【０１７９】
次に、画像形成装置１００Ａのソフトウェア構成について説明する。図１１は、画像形成装置のソフトウェア構成の一例を示す模式図である。図１１では、本体装置２００Ａと操作装置５００のソフトウェア構成の一例を示している。
【０１８０】
図１１に示すように、本体装置２００Ａは、アプリ層２０１と、サービス層２０２と、ＯＳ(Operating  System)層２０３とを有する。アプリ層２０１、サービス層２０２及びＯＳ層２０３の実体は、ＲＯＭ２２やＨＤＤ２４等に格納されている各種ソフトウェアである。ＣＰＵ２１が、これらのソフトウェアを実行することにより、各種の機能が提供される。
【０１８１】
アプリ層２０１のソフトウェアは、ハードウェア資源を動作させて所定の機能を提供するためのアプリケーションソフトウェア（以下の説明では、単に「アプリ」と称する場合がある）である。例えばアプリとしては、コピー機能を提供するためのコピーアプリ、スキャン機能を提供するためのスキャンアプリ、ファクス機能を提供するためのファクスアプリ、プリント機能を提供するためのプリントアプリなどが挙げられる。
【０１８２】
サービス層２０２のソフトウェアは、アプリ層２０１とＯＳ層２０３との間に介在し、アプリに対し、本体装置２００Ａが備えるハードウェア資源を利用するためのインタフェースを提供するためのソフトウェアである。より具体的には、ハードウェア資源に対する動作要求の受付、動作要求の調停を行う機能を提供するためのソフトウェアである。サービス層２０２が受け付ける動作要求としては、スキャンによる読み取りやプロッタによる印刷等の要求が考えられる。
【０１８３】
尚、サービス層２０２によるインタフェースの機能は、本体装置２００Ａのアプリ層２０１だけではなく、操作装置５００のアプリ層５０１に対しても提供される。すなわち、操作装置５００のアプリ層５０１（アプリ）も、サービス層２０２のインタフェース機能を介して、本体装置２００Ａのハードウェア資源（例えばエンジン２２０）を利用した機能を実現することができる。例えばサービス層２０２のインタフェース機能は、ＷｅｂＡＰＩで提供される。操作装置５００と本体装置２００Ａは、通信路５０をネットワークとして通信することができる。
【０１８４】
ＯＳ層２０３のソフトウェアは、本体装置２００Ａが備えるハードウェアを制御する基本機能を提供するための基本ソフトウェア（オペレーティングシステム（ＯＳ））である。サービス層２０２のソフトウェアは、各種アプリからのハードウェア資源の利用要求を、ＯＳ層２０３が解釈可能なコマンドに変換してＯＳ層２０３に渡す。そして、ＯＳ層２０３のソフトウェアによりコマンドが実行されることで、ハードウェア資源は、アプリの要求に従った動作を行う。
【０１８５】
同様に、操作装置５００は、アプリ層５０１と、サービス層５０２と、ＯＳ層５０３とを有する。操作装置５００が備えるアプリ層５０１、サービス層５０２及びＯＳ層５０３も、階層構造については本体装置２００Ａ側と同様である。ただし、アプリ層５０１のアプリにより提供される機能や、サービス層５０２が受け付け可能な動作要求の種類は、本体装置２００Ａ側とは異なる。本実施形態では、サービス層５０２のソフトウェアには、インストーラなどが含まれる。
【０１８６】
アプリ層５０１のアプリは、操作装置５００が備えるハードウェア資源を動作させて所定の機能を提供するためのソフトウェアであってもよいが、主として本体装置２００Ａが備える機能（コピー機能、スキャン機能、ファクス機能、プリント機能）に関する操作や表示を行うためのＵＩ（ユーザインタフェース）の機能を提供するためのソフトウェアである。
【０１８７】
尚、本実施形態では、機能の独立性を保つために、本体装置２００Ａ側のＯＳ層２０３のソフトウェアと操作装置５００側のＯＳ層５０３のソフトウェアが互いに異なる。つまり、本体装置２００Ａと操作装置５００は、別々のオペレーティングシステムで互いに独立して動作する。例えば、本体装置２００Ａ側のＯＳ層２０３のソフトウェアとしてＮｅｔＢＳＤ（登録商標）を用い、操作装置５００側のＯＳ層５０３のソフトウェアとしてＡｎｄｒｏｉｄ（登録商標）を用いることも可能である。また、操作装置５００のアプリ層５０１には、操作パネル５１０に操作抑制画面を表示させるための操作抑制アプリケーション５０４が含まれる。
【０１８８】
以上のように、本実施形態の画像形成装置１００Ａにおいて、本体装置２００Ａと操作装置５００は別々のオペレーティングシステムで動作するため、本体装置２００Ａと操作装置５００との間の通信は、共通の装置内のプロセス間通信ではなく、異なる装置間の通信として行われる。操作装置５００が受け付けた情報（ユーザからの指示内容）を本体装置２００Ａへ伝達する動作（コマンド通信）や、本体装置２００Ａが操作装置５００へイベントを通知する動作などがこれに該当する。ここでは、操作装置５００が本体装置２００Ａへコマンド通信を行うことにより、本体装置２００Ａの機能を使用することができる。
【０１８９】
また、本体装置２００Ａから操作装置５００に通知するイベントには、本体装置２００Ａにおける動作の実行状況、本体装置２００Ａ側で設定された内容などが挙げられる。
【０１９０】
また、本実施形態では、操作装置５００に対する電力供給は、本体装置２００Ａから通信路５０を経由して行われているので、操作装置５００の電源制御を、本体装置２００Ａの電源制御とは別に（独立して）行うことができる。
【０１９１】
次に、図１２を参照して本実施形態の画像形成装置１００Ａに含まれる各装置の機能について説明する。図１２は、画像形成装置に含まれる各装置の機能を説明する図である。
【０１９２】
はじめに、本実施形態の本体装置２００Ａの機能について説明する。本体装置２００Ａは、コントローラ２１０Ａにおいて、ＣＰＵ２１がＲＯＭ２２やＲＡＭ２３等に格納されたプログラムを読み出して実行することで、下記の各部の機能が実現される。
【０１９３】
本実施形態の本体装置２００Ａは、実行制御部２４０Ａ、スキャン実行部２５０、コピー実行部２６０、ＦＡＸ実行部２７０、プリント実行部２８０、点灯実行部２９０を有する。本実施形態のスキャン実行部２５０、コピー実行部２６０、ＦＡＸ実行部２７０、プリント実行部２８０、点灯実行部２９０は、画像処理部２９５Ａを形成する。
【０１９４】
実行制御部２４０Ａは、コントローラ２１０Ａが受け付けたジョブの実行を制御する。また、実行制御部２４０Ａは、画像形成装置１００Ａを、画像形成装置１００Ａの状態に応じたモードで動作させる。さらに、本実施形態の実行制御部２４０は、ＦＡＸ実行部２７０、プリント実行部２８０、点灯実行部２９０に画像形成装置１００Ａの電力の供給元に応じた処理を実行させる。
【０１９５】
本実施形態の実行制御部２４０Ａは、状態管理部２４１Ａ、本体状態通知部２４２、電源状態通知部２４３を有する。状態管理部２４１Ａは、画像形成装置１００の状態の変更等の通知を操作装置５００に通知する。画像形成装置１００の状態とは、電力の供給元や、動作のモード等を含む。
【０１９６】
本実施形態のスキャン実行部２５０、コピー実行部２６０、ＦＡＸ実行部２７０、プリント実行部２８０、点灯実行部２９０は、それぞれが画像形成装置１００Ａの機能と対応しており、対応した機能を実現させる。尚、図１２に示す各実行部は一例であり、画像形成装置１００Ａの機能は、これに限定されない。画像形成装置１００Ａは、図１２に示す各実行部が実現する機能以外の機能を有していても良いし、図１２に示す各実行部が実現する機能の一部のみを有していても良い。
【０１９７】
スキャン実行部２５０は、スキャンアプリに相当し、コピー実行部２６０は、コピーアプリに相当する。ＦＡＸ実行部２７０は、ＦＡＸアプリに相当し、プリント実行部２８０は、プリントアプリに相当する。
【０１９８】
点灯実行部２９０は、点灯アプリに相当し、実行制御部２４０が実行しているジョブに応じて操作パネル５１０に設けられたＬＥＤを点灯させる。
【０１９９】
本実施形態のスキャン実行部２５０とコピー実行部２６０と点灯実行部２９０は、電力の供給元が商用電源４００であっても、第一蓄電デバイス３１０であっても、同様の動作を行う。また、点灯実行部２９０は、供給元が第二蓄電デバイス３２０である場合も、ジョブの種類に応じて予め決められたパターンでＬＥＤを点灯させる。
【０２００】
したがって、本実施形態の状態管理部２４１Ａは、スキャン実行部２５０、コピー実行部２６０、点灯実行部２９０に対して、電力の供給元を通知するようにしても良い。
【０２０１】
次に、操作装置５００の機能について説明する。本実施形態の操作装置５００は、状態監視部５２０と、操作抑制部５３０と、を有する。
【０２０２】
本実施形態の状態監視部５２０は、本体装置２００Ａの状態管理部２４１Ａから、画像形成装置１００Ａの状態の変更等の通知を受けると、本体装置２００Ａの有する各実行部に対応するＵＩへ通知する。本実施形態の状態監視部５２０は、操作装置５００のサービス層５０２に含まれるソフトウェアである。
【０２０３】
尚、本実施形態の状態監視部５２０は、本体装置２００Ａに対して画像形成装置１００Ａの状態を定期的に問い合わせるようにしても良い。
【０２０４】
本実施形態の操作抑制部５３０は、操作パネル５１０に操作抑制画面を表示させる。本実施形態の操作抑制部５３０は、状態監視部５２０により、電力の供給元が第二蓄電デバイス３２０である状態となったことが通知された後に、操作パネル５１０に対する操作を受け付けると、操作抑制画面を表示させる。
【０２０５】
本実施形態の操作抑制部５３０は、操作装置５００のアプリ層５０１に含まれるソフトウェアである。より具体的には、操作抑制部５３０は、操作装置５００のＯＳ上で動作する操作抑制アプリケーション５０４である。言い換えれば、操作抑制部５３０は、ＣＰＵ５１が操作抑制アプリケーション５０４を読み出して実行することで実現される。
【０２０６】
本実施形態の操作抑制アプリケーション５０４は、状態監視部５２０により、電力の供給元が第二蓄電デバイス３２０となったことを示す通知を受けて、後述する画面レイヤ定義において最上位のレイヤとされる操作抑制画面を形成する。
【０２０７】
以下の説明では、電力の供給元が第二蓄電デバイス３２０でとなったことを示す通知を、操作抑制アプリケーション５０４を有効化する通知と呼ぶ。言い換えれば、有効化の通知とは、状態監視部５２０から操作抑制部５３０に対する、操作抑制画面の画像の形成指示である。操作抑制アプリケーション５０４は、有効化の通知によって、有効化される。
【０２０８】
操作抑制アプリケーション５０４が有効化されることとは、操作装置５００の状態を、操作パネル５１０のライトを消灯し、且つ、操作パネル５１０の内部を起動させて、ホーム画面４１１の上位のレイヤに表示させるメッセージ画面（操作抑制画面）の画像を形成し、待機する状態とすることを言う。
【０２０９】
つまり、操作抑制アプリケーション５０４が有効化された状態とは、操作パネル５１０に対し、内部を起動させておく電力が供給されており、操作を受け付けたときに操作抑制画面を表示できるようにした状態である。したがって、操作抑制アプリケーション５０４が有効化された状態では、操作パネル５１０に操作抑制画面は表示されていない。
【０２１０】
また、本実施形態の操作抑制アプリケーション５０４は、操作パネル５１０にアイコンとして表示されることはなく、有効化された場合にのみ実行される。
【０２１１】
また、本実施形態の操作抑制部５３０は、画面の優先度が定義された画面レイヤ定義５３１を有しており、この画面レイヤ定義に従って操作抑制画面を操作パネル５１０に表示させる。
【０２１２】
以下に、図１３を参照して本実施形態の操作抑制部５３０が保持する画面レイヤ定義について説明する。図１３は、画面レイヤ定義について説明する図である。
【０２１３】
本実施形態では、操作パネル５１０に表示させる画面の優先度を、画面レイヤ定義５３１に記述している。
【０２１４】
画面レイヤ定義５３１の記述９１では、商用電源４００からの電力の供給が停止して、供給元が第二蓄電デバイス３２０となった場合に表示させる画面の優先度が最も高いことが定義されている。
【０２１５】
したがって、本実施形態の操作抑制部５３０は、電力の供給元が第二蓄電デバイス３２０となった状態では、画面のレイヤ（階層）のうち最上位のレイヤに、操作パネル５１０全体を覆うようにして、操作抑制画面を表示させる。
【０２１６】
次に、図１４乃至図１５を参照して、本実施形態の画像形成装置１００Ａの動作について説明する。
【０２１７】
図１４は、第２の実施形態の画像形成装置の動作を説明するフローチャートである。図１４では、本実施形態の画像形成装置１００Ａの本体装置２００Ａの動作を示している。図１４の処理は、コントローラ２１０Ａにより定期的に実行される。
【０２１８】
本実施形態の画像形成装置１００Ａは、コントローラ２１０Ａの状態管理部２４１Ａにより、電力の供給元が商用電源４００であるか否かを判定する（ステップＳ１４０１）。言い換えれば、状態管理部２４１Ａは、停電等の理由により、商用電源４００からの電力の供給が途絶えたか否かを判定している。
【０２１９】
ステップＳ１４０１において、供給元が商用電源４００の場合、コントローラ２１０Ａは、待機モードで待機する。尚、このとき、コントローラ２１０Ａの状態管理部２４１Ａは、電力の供給元や画像形成装置１００Ａの状態等をポーリング等によって監視している。
【０２２０】
ステップＳ１４０１において、供給元が商用電源４００でない場合、コントローラ２１０Ａは、電力の供給元を第一蓄電デバイス３１０へ切り替える（ステップＳ１４０２）。
【０２２１】
具体的には、状態管理部２４１Ａは、本体状態通知部２４２へ、商用電源４００からの電力の供給の遮断を検出したことを通知する。本体状態通知部２４２は、この通知を受け、蓄電制御部３４０に対して、商用電源４００からの電力の供給の停止と、供給元の変更の指示を通知する。
【０２２２】
蓄電制御部３４０は、通知受付部３４１がこの通知を受けると、供給元切替部３４２により、供給元を商用電源４００から第一蓄電デバイス３１０に切り替える。
【０２２３】
続いて、状態管理部２４１Ａは、操作装置５００の状態監視部５２０に対し、供給元が第一蓄電デバイス３１０に変更されたことを通知し（ステップＳ１４０３）、ステップＳ１４０４へ進む。
【０２２４】
ステップＳ１４０４からステップＳ１４１０までの処理は、図５のステップＳ５０３からステップＳ５０９までの処理と同様であるから、説明を省略する。
【０２２５】
ステップＳ１４１０に続いて、コントローラ２１０Ａは、状態管理部２４１Ａにより、操作装置５００の状態監視部５２０に対し、供給元が第二蓄電デバイス３２０に変更されたことを通知する（ステップＳ１４１１）。
【０２２６】
続いて、状態管理部２４１Ａは、操作装置５００の状態監視部５２０に対し、供給元が第一蓄電デバイス３１０に変更されたことを通知する（ステップＳ１４１２）。
【０２２７】
次に、コントローラ２１０Ａは、状態管理部２４１Ａにより、所定のジョブを受信したか否かを判定する（ステップＳ１４１３）。ステップＳ１４１３において、所定のジョブを受信しない場合、コントローラ２１０Ａは、後述するステップＳ１４１６へ進む。
【０２２８】
ステップＳ１４１３において、所定のジョブを受信した場合には、コントローラ２１０Ａは、電力の供給元を第二蓄電デバイス３２０に維持したまま、エンジンオフモードに移行して操作パネル５１０への電力の供給を開始する（ステップＳ１４１４）。続いて、コントローラ２１０Ａは、対応する実行部に対して対応する動作を実行させる（ステップＳ１４１５）。
【０２２９】
続いて、コントローラ２１０Ａの状態管理部２４１Ａは、第一蓄電デバイス３１０からの出力が停止されているか否かを判定する（ステップＳ１４１６）。言い換えれば、状態管理部２４１Ａは、待機モードへ復帰する操作が行われたか否かを判定している。
【０２３０】
ステップＳ１４１６において、第一蓄電デバイス３１０からの出力が再開された場合、コントローラ２１０Ａは、ステップＳ１４０８へ戻る。
【０２３１】
ステップＳ１４１６において、第一蓄電デバイス３１０からの出力が停止されている場合、つまり、依然としてサスペンドモードである場合、コントローラ２１０Ａは、操作パネル５１０に対して操作が行われたか否かを判定する（ステップＳ１４１７）。ステップＳ１４１７において、操作が行われなかった場合、コントローラ２１０Ａは後述するステップＳ１４１９へ進む。
【０２３２】
ステップＳ１４１７において、操作パネル５１０に対する操作が行われた場合、コントローラ２１０Ａは、エンジンオフモードに移行して操作パネル５１０への電力の供給を開始する（ステップＳ１４１８）。ここで、操作パネル５１０に対して行われる操作とは、操作パネル５１０の動作の開始を指示する操作である。
【０２３３】
続いて、コントローラ２１０Ａは、第二蓄電デバイス３２０の残容量が０％となったか否かを判定する（ステップＳ１４１９）。ステップＳ１４１９において、残容量が０％でない場合、コントローラ２１０Ａは、現在のモードがエンジンオフモードあるか否かを判定する（ステップＳ１４２０）。
【０２３４】
ステップＳ１４２０において、エンジンオフモードである場合、コントローラ２１０Ａは、ステップＳ１４０７へ戻る。ステップＳ１４２０において、エンジンオフモードでない場合、つまりサスペンドモードである場合、コントローラ２１０Ａは、ステップＳ１４１３へ戻る。
【０２３５】
ステップＳ１４１９において、残容量が０％となったとき、コントローラ２１０Ａは処理を終了し、画像形成装置１００Ａをオフさせ、処理を終了する。
【０２３６】
尚、図１４における所定時間は、それぞれが同じ時間であっても良いし、それぞれが個別に設定された時間であっても良い。
【０２３７】
また、図１４の例では、第一蓄電デバイス３１０の残量が１０％未満である場合に所定時間復帰イベントがない場合に、エンジンオフモードへ移行するものとしたが、これに限定されない。本実施形態では、に所定時間復帰イベントがない場合に、エンジンオフモードへ移行する際の閾値となる第一蓄電デバイス３１０の残量は、１０％でなくても良く、任意の値に設定できる。
【０２３８】
以上のように、本実施形態によれば、画像形成装置１００Ａに対する商用電源４００からの電力の供給が停止した場合には、第一蓄電デバイス３１０と第二蓄電デバイス３２０により、画像形成装置１００Ａを動作させる。
【０２３９】
また、本実施形態によれば、画像形成装置１００Ａの電力の供給元が第一蓄電デバイス３１０である場合において、所定時間操作やジョブを受け付けない場合には、第一蓄電デバイス３１０からの出力を停止させ、第二蓄電デバイス３２０のみで画像形成装置１００Ａを動作させる。
【０２４０】
そして、本実施形態では、第二蓄電デバイス３２０のみで画像形成装置１００Ａが動作している場合には、予め決められた所定のジョブのみを実行し、画像形成装置１００Ａの機能の大部分の利用を禁止する。
【０２４１】
したがって、本実施形態では、商用電源４００からの電力の供給が途絶えた場合において、蓄電デバイスの蓄電された電力の消費を緩やかにすることができ、電力を電力の消費を抑制できる。したがって、本実施形態によれば、重要度が高く常に動作させておきたい機能を長時間に亘って実現することができる。
【０２４２】
尚、本実施形態では、商用電源４００からの電力の供給が停止したときに、電力の供給元を第一蓄電デバイス３１０に切り替えるものとしたが、これに限定されない。本実施形態では、商用電源４００による電力の提供を受けることが可能な状態であっても、利用者の操作等により、電力の供給元が第一蓄電デバイス３１０に切り替えられても良い。
【０２４３】
次に、図１５を参照して本実施形態の操作装置５００の動作を説明する。図１５は、第２の実施形態の操作装置の動作を説明するフローチャートである。
【０２４４】
本実施形態の画像形成装置１００Ａにおいて、操作装置５００は、状態監視部５２０により、操作パネル５１０に対する操作を受け付けたか否かを判定する（ステップＳ１５０１）。ステップＳ１５０１において、操作を受け付けていない場合、状態監視部５２０は、待機する。
【０２４５】
ステップＳ１５０１において、操作を受け付けた場合、状態監視部５２０は、電力の供給元が第二蓄電デバイス３２０であるか否かを判定する（ステップＳ１５０２）。判定の方法は、例えば状態監視部５２０が本体装置２００Ａの状態管理部２４１Ａに対して供給元を問い合わせても良いし、状態監視部５２０が状態管理部２４１Ａから通知された供給元を保持しておき、保持された供給元を参照しても良い。
【０２４６】
ステップＳ１５０２において、供給元が第二蓄電デバイス３２０でない場合、操作装置５００は、操作に応じたＵＩの表示を行い（ステップＳ１５０３）、処理を終了する。
【０２４７】
ステップＳ１５０２において、供給元が第二蓄電デバイス３２０であった場合、状態監視部５２０は、操作パネル５１０に電力が供給されたか否かを判定する（ステップＳ１５０４）。言い換えれば、状態監視部８２０は、操作パネル５１０が起動しているか否かを判定する。
【０２４８】
ステップＳ１５０４において、操作パネル５１０が起動していない場合、状態監視部５２０は、操作パネル５１０が起動するまで待機する。
【０２４９】
ステップＳ１５０４において、操作パネル５１０が起動している場合、つまり、操作抑制アプリケーション５０４が有効化されている場合、状態監視部５２０は、操作抑制部５３０により、操作抑制画面を操作パネル５１０に表示させ（ステップＳ１５０５）、処理を終了する。
【０２５０】
以上のように、本実施形態によれば、操作装置５００では、供給元が第二蓄電デバイス３２０である場合は、操作パネル５１０に対する操作を禁止する操作抑制画面を表示させることで、容易に画像形成装置の機能の利用を制限できる。
【０２５１】
言い換えれば、本実施形態では、供給元が第二蓄電デバイス３２０である場合における、操作パネル５１０に対する操作は、操作パネル５１０の起動を指示する操作（第一の操作）となる。また、本実施形態では、操作装置５００は、供給元が第二蓄電デバイス３２０である場合に、操作パネル５１０の起動の指示を受け付けると、その他の操作（第二の操作）の受け付けを禁止する操作抑制画面を表示させる。
【０２５２】
つまり、本実施形態では、供給元が第二蓄電デバイス３２０である場合に、操作パネル５１０を起動させる操作を受け付けた場合に、起動後の操作パネル５１０に、画像処理部２９５Ａに対する操作の受け付けを禁止する操作抑制画面を表示させる。
【０２５３】
本実施形態では、この構成により、機能制限を行う専用の画面を表示させる際に、各アプリケーションに通電の状態を判定させて、状態に応じた画面を用意させたり、システム共通で機能を制限する、といった処理が不要となる。
【０２５４】
したがって、本実施形態によれば、アプリケーション数が多い場合にも、容易に機能の利用を制限することができる。また、本実施形態によれば、汎用のＯＳに修正を加える等といった煩雑な作業も不要となり、容易に機能の利用を制限することができる。
【０２５５】
尚、本実施形態の操作装置５００は、操作抑制画面に、受信したＦＡＸデータに関する情報を表示させても良い。
【０２５６】
図１６は、操作パネルに表示される画面の他の例を示す図である。図１６に示す操作抑制画面４１５Ａは、第一蓄電デバイス３１０へ供給元の切り替えを促すメッセージ４１６と、画像形成装置１００Ａの電源を切るためのボタン４１７に加え、受信したＦＡＸデータに関する情報４１８が表示される。
【０２５７】
情報４１８は、受信済みのＦＡＸデータの一覧であり、項目として、受信時間、送信元、ページ数を有する。項目「受信時間」は、ＦＡＸデータを受信した時間を示し、送信元は、ＦＡＸデータの送信元を示し、ページ数は、受信したＦＡＸデータのページ数を示している。
【０２５８】
尚、情報４１８は、例えば、本体装置２００ＡがＦＡＸデータを受信する度に、本体装置２００Ａから操作装置５００へ蓄積文書情報として通知されても良い。操作装置５００は、本体装置２００Ａから通知される蓄積文書情報を蓄積し、操作抑制画面を表示させる際に、この蓄積文書情報を表示させても良い。
【０２５９】
また、本実施形態の操作装置５００は、例えば、操作パネル５１０に操作抑制画面を表示させる際に、本体装置２００Ａに蓄積された蓄積文書情報の一覧を取得し、表示させても良い。
【０２６０】
操作抑制画面４１５Ａでは、情報４１８を表示させることで、利用者に対して受信済みのＦＡＸデータの詳細について把握させることができる。
【０２６１】
また、本実施形態では、操作抑制アプリケーション５０４によって表示されるボタン４１７に対する操作により、画像形成装置１００Ａ全体をシャットダウンさせる。つまり、本実施形態では、操作抑制アプリケーション５０４により、画像形成装置１００Ａ全体をシャットダウンさせることができる。
【０２６２】
尚、図１６では受信済みのＦＡＸデータに関する情報４１８が表示された例としたが、これに限定されない。本実施形態の操作抑制画面には、受信した印刷ジョブの一覧を示す情報が表示されても良い。
【０２６３】
以上、実施形態に基づき本発明の説明を行ってきたが、上記実施形態に示した要件に本発明が限定されるものではない。これらの点に関しては、本発明の主旨をそこなわない範囲で変更することができ、その応用形態に応じて適切に定めることができる。
【符号の説明】
【０２６４】
１００、１００Ａ  画像形成装置
２００、２００Ａ  本体装置
２１０、５１０Ａ  コントローラ
２２０  エンジン
２３０  電源ユニット
２４０、２４０Ａ  実行制御部
３００、３００Ａ  蓄電装置
３１０  第一蓄電デバイス
３２０  第二蓄電デバイス
３３０、３３０Ａ  インバータ
３４０  蓄電制御部
４００  商用電源
５００  操作装置
５２０  状態監視部
５３０  操作抑制部
【先行技術文献】
【特許文献】
【０２６５】
【特許文献１】特開２００８−７０４２９号公報
【特許文献２】特開２０１３−１６８８６９号公報
【図１】
2018049259.tif 000003
【図２】
2018049259.tif 000004
【図３】
2018049259.tif 000005
【図４】
2018049259.tif 000006
【図５】
2018049259.tif 000007
【図６】
2018049259.tif 000008
【図７】
2018049259.tif 000009
【図８】
2018049259.tif 000010
【図９】
2018049259.tif 000011
【図１０】
2018049259.tif 000012
【図１１】
2018049259.tif 000013
【図１２】
2018049259.tif 000014
【図１３】
2018049259.tif 000015
【図１４】
2018049259.tif 000016
【図１５】
2018049259.tif 000017
【図１６】
2018049259.tif 000018